(57)【要約】【課題】ヘアアイロンの利便性と安全性を向上し、一般家庭等でも容易に使用可能なヘアアイロン用保護シートを提供する。【解決手段】シート本体と、前記シート本体の異なる端縁に設けられた互いに係止可能な第一係止部及び第二係止部と、を具備し、前記第一係止部と前記第二係止部は、互いに係止させることによってヘアアイロンを保持可能な略円錐状の中空部を形成可能に、設けられていること、を特徴とするヘアアイロン用保護シート。【選択図】図１
0003220323.tif 000002
【実用新案登録請求の範囲】
【請求項１】
シート本体と、
前記シート本体の異なる端縁に設けられた互いに係止可能な第一係止部及び第二係止部と、を具備し、
前記第一係止部と前記第二係止部は、互いに係止させることによってヘアアイロンを保持可能な略円錐状の中空部を形成可能に、設けられていること、
を特徴とするヘアアイロン用保護シート。
【請求項２】
前記シート本体が、第一辺と第二辺とにより形成された略角部を具備し、
前記第一係止部が、前記第一辺に配置され、
前記第二係止部が、前記第二辺に配置されていること、
を特徴とする請求項１に記載のヘアアイロン用保護シート。
【請求項３】
前記シート本体が、表面に複数の凹凸を具備すること、
を特徴とする請求項１又は２に記載のヘアアイロン用保護シート。
【考案の詳細な説明】
【技術分野】
【０００１】
本考案は、ヘアアイロンを支持及び保持するヘアアイロン用保護シートに関する。
【背景技術】
【０００２】
ヘアアイロンやホットロールブラシ等の発熱型電気整髪器は、加熱したヒータを毛髪に当接することによってストレート状、ウェーブ状、又はカール状の装飾的な癖付けを施すものである。例えばヘアアイロンは、ヒータを備えた二本の挟持部材を具備して構成されており、ヒータを１２０℃〜１９０℃に上昇した状態で挟持部材により毛髪を挟み込んで使用する。
【０００３】
現在、上記のようなヘアアイロンやホットロールブラシは、種々の電化製品メーカが提供しており、専門店のみならず一般家庭でも幅広く使用されている。一部では、特許文献１（実全昭６１−０９２３０１号公報）に開示されているような収納装置が提供されており、発熱型電気整髪器の利便性向上が図られている。
【先行技術文献】
【特許文献】
【０００４】
【特許文献１】実全昭６１−０９２３０１号公報
【考案の概要】
【考案が解決しようとする課題】
【０００５】
しかしながら、特許文献１に開示された収納装置は、美容室や理容室等を対象としており、多数のヘアアイロンやホットロールブラシの取り回しや使用上の効率向上を図るものであって、用途及びサイズ的な問題から一般家庭で用いることは困難だった。
【０００６】
また、一般家庭での使用者は、美容室や理容室等の施術者と比較して器具の取扱いに関する知識が乏しいため、意図せずにヒータを触ると火傷を負うばかりか、ヒータを衣類や絨毯等に長時間接触させてしまうと火災を発生させてしまうおそれもあった。
【０００７】
そこで、本考案の目的は、上記問題に鑑みてなされたものであり、ヘアアイロンの利便性と安全性を向上し、一般家庭で容易に使用可能なヘアアイロン用保護シートを提供することにある。
【課題を解決するための手段】
【０００８】
上記の課題を解決すべく、本考案は、
シート本体と、
前記シート本体の異なる端縁に設けられた互いに係止可能な第一係止部及び第二係止部と、を具備し、
前記第一係止部と前記第二係止部は、互いに係止させることによってヘアアイロンを保持可能な略円錐状の中空部を形成可能に、設けられていること、
を特徴とするヘアアイロン用保護シートを提供する。
【０００９】
また、上記の本考案のヘアアイロン用保護シートにおいては、
前記シート本体が、第一辺と第二辺とにより形成された略角部を具備し、
前記第一係止部が、前記第一辺に配置され、
前記第二係止部が、前記第二辺に配置されていることが望ましい。
【００１０】
このような構成を有する本考案のヘアアイロン用保護シートでは、ヘアアイロンの使用状況に応じ、シートを広げてヘアアイロンを支持する、又は中空部を構成するホルダーを形成してヘアアイロンを保持する、ことが可能となり、ヘアアイロンの使い勝手を改善した利便性の向上と、火傷や火災の発生を防止した安全性の向上と、を達成することができる。
【００１１】
また、上記の本考案のヘアアイロン用保護シートにおいては、
前記シート本体が、表面に複数の凹凸を具備することが望ましい。
【００１２】
このような構成を有する本考案のヘアアイロン用保護シートでは、ヘアアイロンを支持及び保持した際のグリップ力を向上しつつ、クッション性を付与することができる。
【考案の効果】
【００１３】
上記のような構成の本考案によれば、ヘアアイロンの利便性と安全性を向上し、一般家庭等でも容易に使用可能なヘアアイロン用保護シートを提供することができる。
【図面の簡単な説明】
【００１４】
【図１】本実施形態に係るヘアアイロン用保護シート１の概要を示す図であって、図１（ａ）は、ヘアアイロン用保護シート１を展開状態で使用した模式図であり、図１（ｂ）は、ヘアアイロン用保護シート１を組立状態で使用した模式図である
【図２】本実施形態に係るヘアアイロン用保護シート１の平面図である。
【図３】本実施形態に係るヘアアイロン用保護シート１の斜視図である。
【図４】組立手順を示す模式図である。
【図５】組立手順を示す模式図である。
【図６】組立完了時のヘアアイロン用保護シート１を示す模式図である。
【考案を実施するための形態】
【００１５】
以下、本考案に係るヘアアイロン用保護シートの一実施形態について、図面を参照しつつ詳細に説明する。ただし、本考案はこれら図面に限定されるものではない。また、図面は、本考案を概念的に説明するためのものであるから、理解容易のために、必要に応じて寸法、比又は数を誇張又は簡略化して表している場合もある。
【００１６】
なお、本実施形態では理解容易を図るため、第一辺９の方向をＸ、第二辺１１の方向をＹ、シート本体３の板厚方向をＺとして方向を定義する。
【００１７】
１．ヘアアイロン用保護シート１の概要
図１を用いて、本実施形態に係るヘアアイロン用保護シート１の概要について説明する。図１（ａ）及び（ｂ）は、本実施形態に係るヘアアイロン用保護シート１の概要を示す図であって、図１（ａ）は、ヘアアイロン用保護シート１を展開状態で使用した模式図であり、図１（ｂ）は、ヘアアイロン用保護シート１を組立状態で使用した模式図である。
【００１８】
図１に示すとおり、ヘアアイロン用保護シート１は、髪に対する装飾的な癖付けに用いるヘアアイロン５１（発熱型電気整髪器）等を支持又は保持するものであって、ヘアアイロン５１の使用状況に応じて展開状態（広げてヘアアイロン５１を支持する）又は組立状態（ホルダーを形成してヘアアイロン５１を保持する）に態様を変化させることが可能であり、ヘアアイロン５１の利便性及び安全性を同時に向上することができる。
【００１９】
２．ヘアアイロン用保護シート１の構造
次に図２及び図３を用いて本実施形態に係るヘアアイロン用保護シート１の構造について詳細に説明する。図２は、本実施形態に係るヘアアイロン用保護シート１の平面図であり、図３は、本実施形態に係るヘアアイロン用保護シート１の斜視図である。
【００２０】
図２及び図３に示すとおり、ヘアアイロン用保護シート１は、シート本体３と、シート本体３の異なる端縁に設けられた互いに係止可能な第一係止部５及び第二係止部７と、を具備し、第一係止部５と第二係止部７は、互いに係止させることによってヘアアイロン５１を保持可能な略円錐状の中空部１５を形成可能に、構成されている。
【００２１】
ヘアアイロン用保護シート１の構造についてより具体的には、優れた耐熱性を有したシリコン樹脂等を用いて略矩形に形成されたシート本体３に対し、第一辺９に沿って３つの第一係止部５が配設され、第二辺１１に沿って３つの第二係止部７が配設されている。また、本実施形態では更に、上記第一係止部５と第二係止部７の係止を補助するため、第三辺２７に第一補助係止部３１が配設され、第四辺２９に第二補助係止部３３が配設されている。
【００２２】
＜シート本体３＞
シート本体３は、第一辺９、第二辺１１、第三辺２７及び第四辺２９で形成された略矩形を呈しており、また、方向Ｘに平行な第一辺９と方向Ｙに平行な第二辺１１により形成された主角部１７（略角部）と、この主角部１７と対角位置に形成された第一副角部１９と、主角部１７と第一副角部１９の対角線に対して略直交する対角線の両端に形成される第二副角部２１及び第三副角部２３と、を形成して構成されている。また、第二副角部１９近傍には、シート本体３を貫通する引掛孔２５が形成されており、別途用意したフック等（図示せず）を挿通することができる。
【００２３】
また、シート本体３は、方向Ｘの長さ寸法Ｗ１と、方向Ｙの長さ寸法Ｗ２とを、２０ｃｍ〜２８ｃｍの範囲で設定することが望ましい。シート本体３の寸法を上記寸法幅で設定すれば、一般的に使用されている種々のヘアアイロン５１に対応することができる。
【００２４】
更にシート本体３は、表面に複数の凹凸１３を具備することが望ましい。本実施形態では、シート本体３の表面に所定の間隔で突起を形成することにより凹凸１３の領域を構成し、ヘアアイロン５１を支持及び保持した際のグリップ力を向上しつつ、クッション性を付与することができる。
【００２５】
＜第一係止部５及び第二係止部７＞
本実施形態で用いる第一係止部５はシート本体３を貫通する係止孔であり、第二係止部７はシート本体３に形成された突起状の係止片であり、第一係止部５に第二係止部７を挿入することによって双方が係止するよう構成されている。第一係止部５は第一辺９に沿って３つ、第二係止部７は第二辺１１に沿って３つ配設されている。
【００２６】
第一係止部５及び第二係止部７の詳細な配設位置は、方向Ｘにおいて最も第二辺１１側に位置する第一係止部５の中心と第二辺１１との距離Ｗ３と、方向Ｙにおいて最も第一辺９側に位置する第二係止部７の中心と第一辺９との距離Ｗ５と、を同寸法とし、第一係止部５同士の距離Ｗ４と、第二係止部７同士の距離Ｗ６と、を同寸法とすることが望ましい。第一係止部５及び第二係止部７の配設位置を上記態様とすることで、双方を係止した際に第一辺９と第二辺１１を当接させ、シート本体３で略円錐状の中空部１５を形成することができる。
【００２７】
また、本実施形態では、上記第一係止部５と第二係止部７の係止を補助するため、第三辺２７に第一補助係止部３１が配設され、第四辺２９に第二補助係止部３３が配設されている。この第一補助係止部３１及び第二補助係止部３３は、第一係止部５及び第二係止部７と略同様の構造を有している。
【００２８】
第一補助係止部３１及び第二補助係止部３３の詳細な配設位置は、第一補助係止部３１の中心と第一辺９との距離Ｗ７と、第二補助係止部３３の中心と第二辺１１との距離Ｗ８と、を同寸法とすることが望ましい。第一補助係止部３１及び第二補助係止部３３の配設位置を上記とすることで、第一係止部５と第二係止部７を係止させた際に、第一補助係止部３１と第二補助係止部３３を同時に係止させることができる。
【００２９】
＜引掛孔２５＞
引掛孔２５は、シート本体３を貫通する孔であって、第一副角部１９の近傍に形成されている。引掛孔２５の直径は１５ｍｍ〜２５ｍｍの範囲とすることが望ましい。また、上述のとおり、この引掛孔２５は外部のフック等を挿通して引掛けるための部位であり、ヘアアイロン用保護シート１とこれで保持したヘアアイロン５１双方の重量を支持するため、シート本体３における引掛孔２５近傍（第一副角部１９）を他よりも厚くすることが望ましい。
【００３０】
なお、本実施形態のヘアアイロン用保護シート１は、単一材料によって上記構成を一体的に形成しているが、必ずしもこれに限定されるものではなく、例えば第一係止部５や第二係止部７等を別の部品で形成し、シート本体３に接続してヘアアイロン用保護シート１を構成する態様を採用してもよい。
【００３１】
３．ヘアアイロン用保護シート１の使用方法
続いて、図１及び図４〜図６を用いて、本実施形態に係るヘアアイロン用保護シート１の使用方法について詳細に説明する。図４及び図５は、組立手順を示す模式図であり、図６は組立完了時のヘアアイロン用保護シート１を示す模式図である。
【００３２】
＜展開状態での使用方法＞
図１（ａ）に示すとおり、ヘアアイロン用保護シート１を展開状態で使用する際は、凹凸１３を上方に向けた状態でヘアアイロン用保護シート１を平滑な机や床等に広げることにより、この上方にヘアアイロン５１を置いて使用すればよい。
【００３３】
＜組立状態での使用方法＞
ヘアアイロン用保護シート１を組立状態で使用する際は、図４及び図５に示す組立手順を実施してヘアアイロン用保護シート１を組立ててホルダーを形成する必要がある。まず、図４に示すとおり、使用者はシート本体３の第二副角部２１及び第三副角部２３を把持し、凹凸１３を内側に内包させながら第一辺９と第二辺１１を接近させつつ、全ての第二係止部７をそれぞれ対になる第一係止部５に挿通して双方を係止させる。続いて、図５に示すとおり、第二補助係止部３３を第一補助係止部３１に挿通して双方を係止させ、第一辺９全長及び第三辺２７の一部と、第二辺１１全長及び第四辺２９の一部と、を合掌させて固定する。
【００３４】
図６に示すとおり、上記手順を完了することによってヘアアイロン用保護シート１の組立てホルダーの形成が完了し、主角部１７側を頂点とした略円錐状の中空部１５を形成することができる。図１（ｂ）に示すとおり、この中空部１５にヘアアイロン５１の発熱部側を挿入することができ、例えば机や棚等に設けたフック等に引掛孔２５を挿通すれば、所定の高さにヘアアイロン５１を保持しつつ、同時に他への熱影響を防止することができる。
【００３５】
また、客の整髪を行う美容院等の施術者が腰のベルト等に組立状態のヘアアイロン用保護シート１を介してヘアアイロン５１を保持すれば、施術作業性が飛躍的に向上され、更に火傷等の事故を好適に防止することができる。
【００３６】
以上、本考案の実施形態について図面を参照しつつ説明してきたが、本考案は、これらの実施形態に限定されるものではなく、実用新案登録請求の範囲の記載の精神及び教示を逸脱しない範囲でその他の改良例や変形例が存在する。そして、かかる改良例や変形例は全て本考案の技術的範囲に含まれることは、当業者にとっては容易に理解されるところである。
【産業上の利用可能性】
【００３７】
本実施形態のヘアアイロン用保護シートは、一般家庭で容易に使用可能で、ヘアアイロンの利便性と安全性を向上するものである。
【符号の説明】
【００３８】
１      ヘアアイロン用保護シート
３      シート本体
５      第一係止部
７      第二係止部
９      第一辺
１１    第二辺
１３    凹凸
１５    中空部
１７    主角部
１９    第一副角部
２１    第二副角部
２３    第三副角部
２５    引掛孔
２７    第三辺
２９    第四辺
３１    第一補助係止部
３３    第二補助係止部
５１    ヘアアイロン
Ｗ１    寸法
Ｗ２    寸法
Ｗ３    距離
Ｗ４    距離
Ｗ５    距離
Ｗ６    距離
Ｗ７    距離
Ｗ８    距離
【図１】
0003220323.tif 000003
【図２】
0003220323.tif 000004
【図３】
0003220323.tif 000005
【図４】
0003220323.tif 000006
【図５】
0003220323.tif 000007
【図６】
0003220323.tif 000008